(57)【要約】【課題】バスバーに外力が加わった場合であっても、バスバーの端子台との固定部に応力が集中することのない構造を有するバスバーを提供する。【解決手段】第１バスバー１４Ａにおいては、延伸状部１４ｂに捩じり部１４１，１４２が設けられていることで、捩じり部１４１を挟む延伸状部の２つの領域（１４Ｘ、１４Ｙ）で撓み易さの方向を異ならせることができる。また、捩じり部１４２を挟む延伸状部の２つの領域（１４Ｘ、１４Ｙ）でも撓み易さの方向を異ならせることができる。その結果、領域１４Ｘは、Ｘ方向に撓みやすくなり、領域１４Ｙは、Ｙ方向に撓みやすくなる。【選択図】図３
2010206890.tif 000002
【特許請求の範囲】
【請求項１】
絶縁性を確保するための端子台に固定されるバスバーであって、
外部端子が連結される板状の接合部と、
前記接合部に対して折れ曲がる方向に延びる板状の延伸状部と、
前記延伸状部対して折れ曲がり、前記接合部に対して略並行に配置され、前記端子台に保持される固定部と、を備え、
前記延伸状部には、前記固定部が前記端子台に固定された状態で、その延伸方向に伸びる中心軸回りを回転中心として前記延伸状部を捩じることにより生じる捩じり部を有する、バスバー。
【請求項２】
前記延伸状部には、前記接合部と前記固定部とを固定させた状態で、その延伸方向に伸びる中心軸回りを回転中心として前記延伸状部を捩じることにより生じる第１捩じり部)および第２捩じり部を有する、請求項１に記載のバスバー。
【発明の詳細な説明】
【技術分野】
【０００１】
この発明は、部品、装置等への電力の供給に用いられるバスバーの構造に関する。
【背景技術】
【０００２】
バスバーの構造を開示する一例として、下記特許文献１に開示されるモータジェネレータに採用されるバスバーが挙げられる。バスバーは、絶縁性を確保するための端子台に一端が固定され、他端に外部端子との接合部が設けられている。また、バスバー自体は、通常平板状の形態を有し、接合部の位置決めのために適宜折り曲げられている。
【先行技術文献】
【特許文献】
【０００３】
【特許文献１】特開２００８−２５９３６５号公報
【発明の概要】
【発明が解決しようとする課題】
【０００４】
バスバーの接合部に外部端子を固定する際や、モータジェネレータを搭載する車両の振動がバスバーに加わった場合には、バスバーが振れることにより、バスバーの端子台との固定部（バスバーの付根部）に応力が集中することが懸念される。
【０００５】
具体的には、バスバー自体は板状の形態を有し、その断面形状は短辺側と長辺側とを有している。また、バスバーの折り曲げは、折り曲げラインが長辺に沿うように折り曲げられている。これは、長辺に沿うように折り曲げる方が折り曲げ易いからである。
【０００６】
その結果、折り曲げ方向に外力が加わった場合には、バスバー事態が容易に撓むことで外力を吸収し、バスバーの端子台との固定部に応力が集中することはない。しかし、折り曲げ方向に対して交差する方向に外力が加わった場合には、バスバー自体は撓まないため、外力がそのままバスバーの端子台との固定部に加わり、バスバーの端子台との固定部に応力が集中することになる。
【０００７】
この発明の目的は、バスバーに外力が加わった場合であっても、バスバーの端子台との固定部に応力が集中することのない構造を有するバスバーを提供することにある。
【課題を解決するための手段】
【０００８】
この発明に基づいたバスバーにおいては、絶縁性を確保するための端子台に保持されるバスバーであって、外部端子が連結される板状の接合部と、上記接合部に対して折れ曲がる方向に延びる板状の延伸状部と、上記延伸状部対して折れ曲がり、上記接合部に対して略並行に配置され、上記端子台に保持される固定部とを備え、上記延伸状部には、上記固定部が上記端子台に固定された状態で、その延伸方向に伸びる中心軸回りを回転中心として延伸状部を捩じることにより生じる捩じり部を有する。
【発明の効果】
【０００９】
この発明に基づいたバスバーによれば、バスバーに外力が加わった場合であっても、延伸状部に捩じり部が設けられていることで、捩じり部を挟む延伸状部の２つの領域で撓み易さの方向を異ならせることができる。その結果、捩じり部を挟む２つの延伸状部において、異なる方向からの外力に対してもバスバー自体が撓むことが可能となる。その結果、バスバーの端子台との固定部における応力の集中を回避することが可能となる。
【図面の簡単な説明】
【００１０】
【図１】実施の形態におけるバスバーが採用されたモータのステータを示す平面図である。
【図２】実施の形態におけるバスバーの全体構成を示す図である。
【図３】実施の形態における一つのバスバーの形態を示す図である。
【図４】実施の形態における他のバスバーの形態を示す図である。
【図５】他の実施の形態におけるバスバーの形態を示す図である。
【発明を実施するための形態】
【００１１】
本発明に基づいた実施の形態におけるバスバーについて、以下、図を参照しながら説明する。なお、以下に説明する実施の形態において、個数、量などに言及する場合、特に記載がある場合を除き、本発明の範囲は必ずしもその個数、量などに限定されない。また、同一の部品、相当部品に対しては、同一の参照番号を付し、重複する説明は繰り返さない場合がある。
【００１２】
まず、図１を参照して、実施の形態におけるバスバーが採用されたモータジェネレータのステータの概略について説明する。このステータ１００は、環状のステータコア２００と、このステータコア２００の外周側に配置されるリング３００とを有している。ステータコア２００は、環状に配列された複数の分割ステータコア２５０から構成されている。分割ステータコア２５０には、コイルが装着されている。また、リング３００の外周面には、バスバーを保持する端子台１Ａが取り付けられている。
【００１３】
図２を参照して、この端子台１Ａは、ベース部１０と、このベース部１０から外方に延びる第１腕部１１、第２腕部１２、第３腕部１３が、それぞれ所定の間隙を隔てて設けられている。また、第１腕部１１には第１バスバー１４Ａが保持され、第２腕部１２には第２バスバー１５Ａが保持され、第３腕部１３には第３バスバー１６Ａが保持されている。
【００１４】
図３を参照して、第１バスバー１４Ａの構造について詳細に説明する。この第１バスバー１４Ａは、外部端子との連結に用いられる、貫通丸穴が形成された板状の接合部１４ａと、この接合部１４ａを含む平面に対して起き上がる方向に折れ曲がり、その折れ曲がる方向に延伸する板状の延伸状部１４ｂと、さらに、この延伸状部１４ｂ対して折れ曲がり、接合部１４ａを含む平面に対して略並行に配置される固定部１４ｃとを備えている。この固定部１４ｃが、第１腕部１１に保持されている。
【００１５】
第１バスバー１４Ａには、導電性を有する金属材料が用いられ、端子台１Ａには、隣接する他のバスバーとの絶縁性を確保するために、樹脂等の絶縁性材料が用いられている。第１バスバー１４Ａ自体は、横断面形状が長方形形状を有し、図中のＹ方向に沿って長辺方向が位置し、Ｙ方向に対して直交するＸ方向に沿って短辺方向が位置している。
【００１６】
この第１バスバー１４Ａの延伸状部１４ｂには、接合部１４ａと固定部１４ｃとの位置を固定させた状態で、延伸状部１４ｂの延伸方向に伸びる中心軸Ｄ１回りを回転中心として延伸状部１４ｂを約９０度捩じる（Ｒ方向）ことにより生じる第１捩じり部１４１および第２捩じり部１４２が設けられている。なお、延伸状部１４ｂの捩じり方向（Ｒ方向）は、図示とは反対の捩じり方向に約９０度捩じることでもかまわない。
【００１７】
次に、図４を参照して、第２バスバー１５Ａの構造についても詳細に説明する。この第２バスバー１５Ａも、第１バスバー１４Ａと同様に、外部端子との連結に用いられる、貫通丸穴が形成された板状の接合部１５ａと、この接合部１５ａを含む平面に対して起き上がる方向に折れ曲がり、その折れ曲がる方向に延びる板状の延伸状部１５ｂと、さらに、この延伸状部１５ｂ対して折れ曲がり、接合部１５ａを含む平面に対して略並行に配置される固定部１５ｃとを備えている。この固定部１５ｃが、第２腕部１２に保持されている。
【００１８】
なお、第２バスバー１５Ａには、導電性を有する金属材料が用いられ、端子台１Ａには、隣接する他のバスバーとの絶縁性を確保するために、樹脂等の絶縁性材料が用いられている。第２バスバー１５Ａ自体も、断面が長方形形状を有し、図中のＹ方向に沿って長辺方向が位置し、Ｙ方向に対して直交するＸ方向に沿って短辺方向が位置している。
【００１９】
また、この第２バスバー１５Ａの延伸状部１５ｂにも、接合部１５ａと固定部１５ｃとの位置を固定させた状態で、延伸状部１５ｂの延伸方向に伸びる中心軸Ｄ１回りを回転中心として延伸状部１４ｂを約９０度捩じる（Ｒ方向）ことにより生じる第１捩じり部１５１および第２捩じり部１５２が設けられている。なお、延伸状部１５ｂの捩じり方向（Ｒ方向）は、図示とは反対の捩じり方向に約９０度捩じることでもかまわない。
【００２０】
このように、本実施の形態における第１バスバー１４Ａにおいては、接合部１４ａに外部端子を固定する際や、車両の振動が第１バスバー１４Ａに加わった場合には、第１バスバー１４Ａが振れることになる。これにより、第１バスバー１４Ａに外力が加わることになるが、延伸状部１４ｂに捩じり部１４１，１４２が設けられていることで、捩じり部１４１を挟む延伸状部の２つの領域（１４Ｘ、１４Ｙ）で撓み易さの方向を異ならせることができる。また、捩じり部１４２を挟む延伸状部の２つの領域（１４Ｘ、１４Ｙ）でも撓み易さの方向を異ならせることができる。図３においては、領域１４Ｘは、Ｘ方向に撓みやすくなり、領域１４Ｙは、Ｙ方向に撓みやすくなる。
【００２１】
その結果、延伸状部１４ｂは、異なる方向からの外力に対しても第１バスバー１４Ａ自体が撓むことが可能となる。その結果、第１バスバー１４Ａの端子台１Ａのべース部１０との固定部における応力の集中を回避することが可能となる。このことは、第２バスバー１５Ａにおいても同様である。
【００２２】
なお、上記第１バスバー１４Ａおよび第２バスバー１５Ａにおいては、外部端子との接続容易性を維持するために、接合部１４ａ，１５ａの位置を変更しないようにするために、接合部１５ａと固定部１５ｃとの位置を固定させた状態で、その延伸方向に伸びる中心軸Ｄ１回りを回転中心として延伸状部１４ｂ，１５ｂを約９０度捩じる構成を採用している。
【００２３】
しかし、接合部１４ａ，１５ａの位置が変更されても、外部端子との接続容易性に問題が生じないのであれば、図５に示す第１バスバー１４Ｂように、固定部１４ｃのみを端子台１０のべース部１０に固定した状態で、その延伸方向に伸びる中心軸Ｄ１回りを回転中心として延伸状部１４ｂおよび接合部１４ａを約９０度捩じる構成を採用してもかまわない。この場合、捩じり部１４１は１箇所となる。また、延伸状部１５ｂの捩じり方向（Ｒ方向）は、図示とは反対の捩じり方向に約９０度捩じることでもかまわない。
【００２４】
また、上記実施の形態においては、延伸方向に伸びる中心軸Ｄ１回りを回転中心とした回転角度を９０度の場合について説明しているが、捩じり角度は９０度に限定されるものではなく、外力が加えられる方向に応じて、捩じり角度は適宜選択されるものである。また、図３および図４に示すように捩じり部が２箇所設けられる場合に、２箇所の捩じり角度を等しい角度に設けるだけでなく、異なる角度に設けることも可能である。
【００２５】
また、上記実施の形態においては、車両に搭載されるモータジェネレータにおけるステータに採用されるバスバーに本発明を適用した場合について説明しているが、モータジェネレータに限られず、インバータ、電池その他の電力の供給に用いられるバスバー全てに本発明を適用することが可能である。
【００２６】
以上、本発明の実施の形態について説明したが、今回開示された実施の形態は全ての点で例示であって制限的なものではないと考えられるべきである。本発明の範囲は特許請求の範囲によって示され、特許請求の範囲と均等の意味および範囲内での全ての変更が含まれることが意図される。
【符号の説明】
【００２７】
１Ａ  端子台、１０  ベース部、１１  第１腕部、１２  第２腕部、１３  第３腕部、１４Ａ，１４Ｂ  第１バスバー、１４Ｘ，１４Ｙ  領域、１４ａ，１５ａ  接合部、１４ｂ，１５ｂ  延伸状部、１４ｃ，１５ｃ  固定部、１５Ａ  第２バスバー、１５Ｘ，１５Ｙ  領域、１６Ａ  第３バスバー、１００  ステータ、２００  ステータコア、２５０  分割ステータコア、３００  リング。
【図１】
2010206890.tif 000003
【図２】
2010206890.tif 000004
【図３】
2010206890.tif 000005
【図４】
2010206890.tif 000006
【図５】
2010206890.tif 000007